(57)【要約】【課題】媒体に対する印字状態を簡易な手法で確実に検出でき、印字ミスの防止に寄与し得る印字システムおよび印字方法等を提供すること。【解決手段】印字管理システム３０は、帳票用紙１に対して媒体情報バーコード１５と確認情報バーコード１８とを設けるだけで、これらの相対的な位置および情報の対応関係から印字位置および印字内容の正否を判定できる。そのため、帳票用紙１に対する印字状態を簡単且つ確実に検出することができ、印字ミスの防止に大きく寄与し得る。【選択図】図６
2008158584.tif 000002
【特許請求の範囲】
【請求項１】
所定の媒体上に所定の記録内容を印字する印字システムであって、
前記媒体上に予め設けられた媒体に関する情報を示す媒体情報バーコードに対応して、印字状態を確認するための確認情報バーコードを前記記録内容と共に媒体上に印字する印字手段と、
前記媒体情報バーコードと前記確認情報バーコードとの間の媒体上における相対的な位置関係を検出する第１の検出手段と、
前記媒体情報バーコードと前記確認情報バーコードとの間の情報の対応関係を検出する第２の検出手段と、
前記第１の検出手段からの検出結果に基づいて媒体に対する前記記録内容の印字位置の正否を判定する第１の判定手段と、
前記第２の検出手段からの検出結果に基づいて媒体に対する印字内容の正否を判定する第２の判定手段と、
を具備することを特徴とする印字システム。
【請求項２】
前記印字手段は、媒体に対して正規の印字位置で記録内容が印字されるときに前記媒体情報バーコードと前記確認情報バーコードとが媒体上でほぼ一直線上に位置する関係を成すように媒体上における印字領域を規定することを特徴とする請求項１に記載の印字システム。
【請求項３】
前記第１の検出手段は、前記媒体情報バーコードと前記確認情報バーコードとの間の直線的な位置関係を検出することを特徴とする請求項２に記載の印字システム。
【請求項４】
前記第１の判定手段は、前記媒体情報バーコードと前記確認情報バーコードとが媒体上でほぼ一直線上に位置していないときに印字ずれと判定することを特徴とする請求項３に記載の印字システム。
【請求項５】
前記第１の判定手段が印字ずれと判定した際にその旨を警告する警告手段を更に備えていることを特徴とする請求項４に記載の印字システム。
【請求項６】
前記第２の判定手段は、前記媒体情報バーコードに係わる情報と前記確認情報バーコードに係わる情報とが規定の対応関係を有していない場合に、印字された記録内容が媒体に適合していないと判定することを特徴とする請求項１ないし請求項５のいずれか１項に記載の印字システム。
【請求項７】
印字された記録内容が媒体に適合していないことが前記第２の判定手段により判定された際にその旨を警告する警告手段を更に備えていることを特徴とする請求項６に記載の印字システム。
【請求項８】
前記媒体情報バーコードおよび前記確認情報バーコードは、媒体の所定の一辺に沿う２つの隅にそれぞれ印字されることを特徴とする請求項１ないし請求項７のいずれか１項に記載の印字システム。
【請求項９】
前記媒体情報バーコードおよび前記確認情報バーコードは、媒体の種類および媒体の方向性を規定する情報を含んでいることを特徴とする請求項１ないし請求項８のいずれか１項に記載の印字システム。
【請求項１０】
媒体に関する情報を示す媒体情報バーコードを媒体上に予め印字するプレ印字手段と、
請求項１ないし請求項９のいずれか１項に記載の印字システムと、
を具備することを特徴とする印字管理システム。
【請求項１１】
印字媒体に関する情報を示す媒体情報バーコードと印字状態を確認するための確認情報バーコードとが所定の記録内容と共に印字された媒体上における印字状態を検査する印字検査システムであって、
前記媒体情報バーコードと前記確認情報バーコードとの間の媒体上における相対的な位置関係を検出する第１の検出手段と、
前記媒体情報バーコードと前記確認情報バーコードとの間の情報の対応関係を検出する第２の検出手段と、
前記第１の検出手段からの検出結果に基づいて媒体に対する前記記録内容の印字位置の正否を判定する第１の判定手段と、
前記第２の検出手段からの検出結果に基づいて媒体に対する印字内容の正否を判定する第２の判定手段と、
を具備することを特徴とする印字検査システム。
【請求項１２】
前記第１の検出手段は、前記媒体情報バーコードと前記確認情報バーコードとの間の直線的な位置関係を検出することを特徴とする請求項１１に記載の印字検査システム。
【請求項１３】
前記第１の判定手段は、前記媒体情報バーコードと前記確認情報バーコードとが媒体上でほぼ一直線上に位置していないときに印字ずれと判定することを特徴とする請求項１２に記載の印字検査システム。
【請求項１４】
前記第１の判定手段が印字ずれと判定した際にその旨を警告する警告手段を更に備えていることを特徴とする請求項１３に記載の印字検査システム。
【請求項１５】
前記第２の判定手段は、前記媒体情報バーコードに係わる情報と前記確認情報バーコードに係わる情報とが規定の対応関係を有していない場合に、印字された記録内容が媒体に適合していないと判定することを特徴とする請求項１１ないし請求項１４のいずれか１項に記載の印字検査システム。
【請求項１６】
印字された記録内容が媒体に適合していないことが前記第２の判定手段により判定された際にその旨を警告する警告手段を更に備えていることを特徴とする請求項１５に記載の印字検査システム。
【請求項１７】
所定の媒体上に所定の記録内容を印字する印字方法であって、
前記媒体上に予め設けられた媒体に関する情報を示す媒体情報バーコードに対応して、印字状態を確認するための確認情報バーコードを前記記録内容と共に媒体上に印字する印字ステップと、
前記媒体情報バーコードと前記確認情報バーコードとの間の媒体上における相対的な位置関係を検出する位置検出ステップと、
前記媒体情報バーコードと前記確認情報バーコードとの間の情報の対応関係を検出する情報検出ステップと、
前記位置検出ステップによる検出結果に基づいて媒体に対する前記記録内容の印字位置の正否を判定する印字位置判定ステップと、
前記情報検出ステップによる検出結果に基づいて媒体に対する印字内容の正否を判定する印字内容判定ステップと、
を含むことを特徴とする印字方法。
【請求項１８】
媒体上に対する記録内容の印字を管理する印字管理方法であって、
媒体に関する情報を示す媒体情報バーコードを媒体上に予め印字するプレ印字ステップと、
前記媒体上に予め印字された前記媒体情報バーコードに対応して、印字状態を確認するための確認情報バーコードを前記記録内容と共に媒体上に印字する印字ステップと、
前記媒体情報バーコードと前記確認情報バーコードとの間の媒体上における相対的な位置関係を検出する位置検出ステップと、
前記媒体情報バーコードと前記確認情報バーコードとの間の情報の対応関係を検出する情報検出ステップと、
前記位置検出ステップによる検出結果に基づいて媒体に対する前記記録内容の印字位置の正否を判定する印字位置判定ステップと、
前記情報検出ステップによる検出結果に基づいて媒体に対する印字内容の正否を判定する印字内容判定ステップと、
を含むことを特徴とする印字管理方法。
【請求項１９】
印字媒体に関する情報を示す媒体情報バーコードと印字状態を確認するための確認情報バーコードとが所定の記録内容と共に印字された媒体上における印字状態を検査する印字検査方法であって、
前記媒体情報バーコードと前記確認情報バーコードとの間の媒体上における相対的な位置関係を検出する位置検出ステップと、
前記媒体情報バーコードと前記確認情報バーコードとの間の情報の対応関係を検出する情報検出ステップと、
前記位置検出ステップによる検出結果に基づいて媒体に対する前記記録内容の印字位置の正否を判定する印字位置判定ステップと、
前記情報検出ステップによる検出結果に基づいて媒体に対する印字内容の正否を判定する印字内容判定ステップと、
を含むことを特徴とする印字検査方法。
【発明の詳細な説明】
【技術分野】
【０００１】
本発明は、所定の媒体上に所定の記録内容を印字するための印字システムおよび印字方法に関する。また、本発明は、媒体上に対する記録内容の印字を管理する印字管理システムおよびその方法に関する。更に、本発明は、媒体上における印字状態を検査する印字検査システムおよびその方法に関する。
【背景技術】
【０００２】
通常、所定の媒体に対してその媒体に適合する記録内容を印字する場合、例えば規定の用紙に対してその用紙に対応する所定の情報を印字する場合には、印字ミスが生じないように様々な対策を講じる必要がある。特に、複数種類の用紙に対して複数の異なる情報を選択的に対応付けて印字する場合には、相当の注意が必要であり、一般的には、以下のような段階的な工程が踏まれる。
【０００３】
すなわち、まず、複数種類の用紙の中から印字しようとする対象の用紙を選択する。そして、その選択した用紙を印字装置にセットするとともに、その用紙に合ったセット位置であるかを目視で確認する。その後、用紙に対して印字を施し、印字内容および印字位置を目視で確認する。
【０００４】
こうした比較的複雑な印字環境下で扱われる媒体としては、例えば、取引明細、請求額の内容、預金残高などの記録内容（帳票）が印字される帳票用紙などが挙げられる。
【発明の開示】
【発明が解決しようとする課題】
【０００５】
ところで、以上のような印字管理下で媒体に対して印字を行なうと、以下のような幾つかの問題が生じる。
【０００６】
まず、用紙の種類が多い場合、特にサイズが同一で絵柄等の若干の相違でしか区別できない複数種の用紙が混在する場合には、印字に際して誤った用紙を選択してしまう可能性がある。
【０００７】
また、用紙のセット位置を目視で確認するため、誤認が生じる可能性もあり、その場合には、印字ミスが生じてしまう。
【０００８】
更に、印字内容および印字位置も目視で確認することから、見落としや誤認は勿論のこと、特に印字頁数が多い場合には、最初と最後の印字状況しか確認しないこともあり、途中で印字ずれを起こしていてもそれを発見できない可能性もある。また、印字制御のためのプログラムミスやプログラム上のバグによって、印字ズレを生じさせてしまうこともあり、これらの原因によって発生した印字ミスを見逃すこともあった。
【０００９】
以上のような問題は、特に個人情報が用紙に印字されて顧客に送付されるような場合には重大であり、他人の情報が誤って送付されて個人情報が漏洩されるような事態も招きかねない。
【００１０】
本発明は前記事情に着目してなされたものであり、その目的とするところは、媒体に対する印字状態を簡易な手法で確実に検出でき、印字ミスの防止に寄与し得る印字システムおよび印字方法等を提供することにある。
【課題を解決するための手段】
【００１１】
前記課題を解決するために、本発明は、所定の媒体上に所定の記録内容を印字する印字システムであって、前記媒体上に予め設けられた媒体に関する情報を示す媒体情報バーコードに対応して、印字状態を確認するための確認情報バーコードを前記記録内容と共に媒体上に印字する印字手段と、前記媒体情報バーコードと前記確認情報バーコードとの間の媒体上における相対的な位置関係を検出する第１の検出手段と、前記媒体情報バーコードと前記確認情報バーコードとの間の情報の対応関係を検出する第２の検出手段と、前記第１の検出手段からの検出結果に基づいて媒体に対する前記記録内容の印字位置の正否を判定する第１の判定手段と、前記第２の検出手段からの検出結果に基づいて媒体に対する印字内容の正否を判定する第２の判定手段とを具備することを特徴とする印字システムを提供する。
【００１２】
また、本発明は、上記構成に加えて、媒体に関する情報を示す媒体情報バーコードを媒体上に予め印字するプレ印字手段を更に備える印字管理システムを提供する。
【００１３】
更に、本発明は、印字媒体に関する情報を示す媒体情報バーコードと印字状態を確認するための確認情報バーコードとが所定の記録内容と共に印字された媒体上における印字状態を検査する印字検査システムであって、前記媒体情報バーコードと前記確認情報バーコードとの間の媒体上における相対的な位置関係を検出する第１の検出手段と、前記媒体情報バーコードと前記確認情報バーコードとの間の情報の対応関係を検出する第２の検出手段と、前記第１の検出手段からの検出結果に基づいて媒体に対する前記記録内容の印字位置の正否を判定する第１の判定手段と、前記第２の検出手段からの検出結果に基づいて媒体に対する印字内容の正否を判定する第２の判定手段とを具備することを特徴とする印字検査システムを提供する。
【００１４】
なお、本発明では、前記各システムに加えて、これらのシステムに関連する方法も提供される。
【発明の効果】
【００１５】
本発明によれば、媒体に対して媒体情報バーコードと確認情報バーコードとを設けるだけで、これらの相対的な位置および情報の対応関係から印字位置および印字内容の正否を判定できるため、媒体に対する印字状態を簡単且つ確実に検出することができ、印字ミスの防止に大きく寄与し得る。
【発明を実施するための最良の形態】
【００１６】
以下、図面を参照しながら、本発明の実施形態について説明する。
【００１７】
図１には、所定の記録内容を印字するための媒体として、帳票を印字するための帳票用紙１が示されている。図示のように、この帳票用紙１は、同一形態の帳票用紙が同一方向で複数枚繋がって成る連続帳票用紙の形態を成しており、本実施形態では２枚の帳票用紙部１ａ，１ｂが対を成しているものとして話を進めることにする。なお、本発明において、媒体は、用紙に限らず、記録内容を印字できるものであれば、どのような材料のものであっても構わない。また、印字される記録内容も、帳票などのデータのみならず、図柄や案内文など、様々な形態のものが考えられる。
【００１８】
図１に示されるように、帳票用紙１の各帳票用紙部１ａ，１ｂは、長方形状を成した例えば郵便はがきの形態を成しており、上辺（上縁）２と、下辺（下縁）４と、左辺（左縁）６と、右辺（右縁）８とを有するとともに、各辺が交差する部分に隅部９，１０，１１，１２を有している。また、各帳票用紙部１ａ，１ｂは、表Ａ（図１の（ａ））と裏Ｂ（図１の（ｂ））とを有しており、表Ａに宛名（宛名部）を印字でき、裏Ｂに帳票（明細部）を印字できるようになっている。更に、帳票用紙１は、図柄などが異なる同一サイズのものが複数種類存在している。
【００１９】
各帳票用紙部１ａ，１ｂは、所定の記録内容が印字される前の状態で、その所定の一辺、本実施形では右辺８に沿う上下の２つの隅１０，１１（各帳票用紙部１ａ，１ｂの最初および最後と認識する場所）にそれぞれ（表Ａおよび裏Ｂの両方）、帳票用紙（媒体）１に関する情報を示す媒体情報バーコード１５を有している。このような媒体情報バーコード１５は、帳票用紙１に印字されても良く、あるいは、シールの形態で帳票用紙１に貼り付けられていても良い。
【００２０】
媒体情報バーコード１５は、帳票用紙１の種類および帳票用紙１の方向性を規定する情報を含んでいる。具体的には、媒体情報バーコード１５は、図１の（ｃ）に示されるように７桁のコードから成っている。すなわち、媒体情報バーコード１５は、用紙の種類の判定に使用される４桁の帳票コードＣ１と、２桁の制御コードＣ２と、バーコード情報の整合性チェックに使用される１桁のチェックデジットＣ３とから成る。この場合、帳票コードＣ１は、白紙を利用する場合、９９９９に設定される。また、制御コードＣ２は、１桁目が用紙の向き（上下の向き）や裏表（天地）などの判定に使用される（本実施形態では、表Ａに奇数の数字が割り当てられ、裏Ｂに偶数の数字が割り当てられる）。また、制御コードＣ２の２桁目は、当該バーコード１５が媒体情報バーコード（印字前の用紙に付されるべきバーコード）である旨の判定に使用される。
【００２１】
なお、図１（ｃ）には、各帳票用紙部１ａ，１ｂの２つの隅部１０，１１のそれぞれに付与される８個の異なる媒体情報バーコード１５が示されている。各媒体情報バーコード１５の手前には、最初に印字される第１の帳票用紙部１ａとその後に印字される第２の帳票用紙部１ｂとにそれぞれ付与される媒体情報バーコード１５同士を区別するため、また、帳票用紙部１ａ，１ｂの上下にそれぞれ付与される媒体情報バーコード１５同士を区別するために、１−Ｓ、１−Ｅ、２−Ｓ、２−Ｅ（１は第１の帳票用紙部１ａ、２は第２の帳票用紙部１ｂ、Ｓは各帳票用紙部のスタート部分（隅部１０に対応する部分）、Ｅは各帳票用紙部のエンド部分（隅部１１に対応する部分）をそれぞれ表わしている）なる添字が付されているが、これらは、説明のためのものであり、媒体情報バーコード１５に含まれるものではない。また、図１の(ｃ)に示される各媒体情報バーコード１５の先頭および図１の（ａ）（ｂ）に示される各帳票用紙部１ａ，１ｂの媒体情報バーコード１５の上側または下側には各媒体情報バーコード１５を区別するために、（１）〜（８）の番号が付されている。
【００２２】
図２には、図１の帳票用紙１に対して所定の記録内容（帳票）Ｓが印字された印字済みの帳票用紙１が示されている。図示のように、記録内容Ｓは、後述する印字装置により、各帳票部分１ａ，１ｂの上側から下側に向かって印字される。また、この記録内容Ｓの印字と共に、各帳票部分１ａ，１ｂの２つの隅部１０，１１（表Ａおよび裏Ｂの両方）には、印字状態を確認するための確認情報バーコード１８が媒体情報バーコード１５に対応して印字されている。本実施形態では、各帳票部分１ａ，１ｂに対して正規の印字位置で記録内容Ｓが印字されるときに、確認情報バーコード１８が媒体情報バーコード１５と帳票部分１ａ，１ｂ上で一直線上に位置する関係を成すように印字される。
【００２３】
確認情報バーコード１８は、媒体情報バーコード１５と同様、帳票用紙１の種類および帳票用紙１の方向性を規定する情報を含んでいる。具体的には、確認情報バーコード１８は、図２の（ｃ）に示されるように、用紙の種類の判定に使用される４桁の帳票コードＣ１’と、２桁の制御コードＣ２’と、バーコード情報の整合性チェックに使用される１桁のチェックデジットＣ３’とから成る。この場合も、制御コードＣ２’は、１桁目が用紙の向き（上下の向き）や裏表（天地）などの判定に使用される（本実施形態では、表Ａに奇数の数字が割り当てられ、裏Ｂに偶数の数字が割り当てられる）。また、制御コードＣ２’の２桁目は、当該バーコード１８が確認情報バーコード（印字の際に用紙に付されるべきバーコード）である旨の判定に使用される。
【００２４】
なお、図２（ｃ）には、各帳票用紙部１ａ，１ｂの２つの隅部１０，１１のそれぞれに媒体情報バーコード１５と一直線上に並んで印字される８個の異なる媒体情報バーコード１５が示されている。各確認情報バーコード１８の手前には、第１の帳票用紙部１ａと第２の帳票用紙部１ｂとにそれぞれ印字される確認情報バーコード１８同士を区別するため、また、帳票用紙部１ａ，１ｂの上下にそれぞれ付与される確認情報バーコード１８同士を区別するため、１−Ｓ、１−Ｅ、２−Ｓ、２−Ｅ（１は第１の帳票用紙部１ａ、２は第２の帳票用紙部１ｂ、Ｓは各帳票用紙部のスタート部分（隅部１０に対応する部分）、Ｅは各帳票用紙部のエンド部分（隅部１１に対応する部分）をそれぞれ表わしている）なる添字が付されているが、これらは、説明のためのものであり、確認情報バーコード１８に含まれるものではない。また、図２の(ｃ)に示される各確認情報バーコード１８の先頭および図２の（ａ）（ｂ）に示される各帳票用紙部１ａ，１ｂの確認情報バーコード１８の上側または下側には各確認情報バーコード１８を区別するために、（１）’〜（８）’の番号が付されている。
【００２５】
また、図２に示されるように、所定の記録内容Ｓが印字された印字済みの帳票用紙１には、記録内容Ｓおよび確認情報バーコード１８と共に付帯情報バーコード２０も印字される。本実施形態において、この付帯情報バーコード２０は、表Ａおよび裏Ｂの隅部１０に印字される確認情報バーコード１８のみに対応して印字されるものであり、各帳票部分１ａ，１ｂに対して正規の印字位置で記録内容Ｓが印字されるときに、付帯情報バーコード２０が媒体情報バーコード１５および確認情報バーコード１８と帳票部分１ａ，１ｂ上で一直線上に位置する関係を成すように印字される。
【００２６】
付帯情報バーコード２０は、相関チェックや後処理のために印字されるものであり、例えば、会社・店番号や顧客番号・通し番号を印字して同時に前後データと比較することにより、用紙セット時の操作ミス、プログラムミス、データ抜けなどのチェックに用いられる。また、後処理としてシーリング等を行なう場合には、シーリング機器にも後述する光学読取装置（ラインスキャナ等のバーコードリーダ）を設置して付帯情報バーコード２０を読み取ることにより処理時間や現物抜けなどのチェックも可能になる。
【００２７】
本実施形態においては、具体的に、付帯情報バーコード２０は、図２の（ｄ）に示されるように、４桁の会社コードＣ１”と、３桁の支店コードＣ２”と、７桁の顧客コードＣ３”と、６桁の通しコード番号Ｃ４”と、１桁の制御コードＣ５”とから成る。また、図２（ｄ）において、各付帯情報バーコード２０の手前には、第１の帳票用紙部１ａと第２の帳票用紙部１ｂとにそれぞれ印字される付帯情報バーコード２０同士を区別するため、各帳票用紙部１ａ，１ｂの上側であることを明示するために、１−Ｓ、２−Ｓ（１は第１の帳票用紙部１ａ、２は第２の帳票用紙部１ｂ、Ｓは各帳票用紙部のスタート部分（隅部１０に対応する部分）をそれぞれ表わしている）なる添字が付されているが、これらは、説明のためのものであり、付帯情報バーコード２０に含まれるものではない。また、図２の(ｄ)に示される各付帯情報バーコード２０の先頭および図２の（ａ）（ｂ）に示される各帳票用紙部１ａ，１ｂの付帯情報バーコード２０の下側には各付帯情報バーコード２０を区別するために、（１）”，（３）”，（５）”，（７）”の番号が付されている。
【００２８】
図３には、帳票用紙１上に対する記録内容Ｓの印字を管理する印字管理システム３０が示されている。図示のように、印字管理システム３０は、記録内容Ｓが印字される前の帳票用紙１に予め媒体情報バーコード１５を印字するためのプレ印字装置（プレ印字手段）３２と、媒体情報バーコード１５が印字された帳票用紙１に記録内容Ｓを印字するための印字システム３４とから成る。印字システム３４は、帳票用紙１の各帳票用紙部１ａ，１ｂに対して記録内容Ｓを印字する印字装置（印字手段）３６と、記録内容Ｓ、媒体情報バーコード１５、確認情報バーコード２０、付帯情報バーコード２０がそれぞれ印字された帳票用紙１上における印字状態を検査する印字検査装置３８とから成る。本実施形態において、印字システム３４は、印字装置３６と印字検査装置３８とが一体となったユニットとして構成されているが、印字した帳票用紙１を別の工程で検査する場合には、印字検査装置３８が印字検査システムとして印字システム３４から分離されていても良い。
【００２９】
印字装置３６は、所定の用紙導入口から所定の用紙搬送経路に沿って複数枚の帳票用紙１を装置内の印字領域に向けて連続的に搬送するとともに、周知の任意の印字技術を使用して予めプログラムされた印字シーケンスにしたがって各帳票用紙部１ａ，１ｂに対して連続的に所定の対応する記録内容Ｓを個別に印字するようになっている。また、印字装置３６は、帳票用紙１上に予め印字された媒体情報バーコード１５に対応して確認情報バーコード１８および付帯情報バーコード２０を記録内容Ｓと共に各帳票用紙部１ａ，１ｂ上に印字するようになっている。この場合、印字装置３６は、帳票用紙１の搬送ずれ等がなく帳票用紙１が印字領域の所定の印字位置で正確に印字されるときには、前述したように各帳票用紙部１ａ，１ｂの２つの隅部１０，１１にそれぞれ印字された媒体情報バーコード１５の横に一直線上に並ぶように確認情報バーコード１８および付帯情報バーコード２０を印字する。すなわち、印字装置３６は、所定の印字プログラムにしたがって、帳票用紙１に対して正規の印字位置で記録内容Ｓが印字されるときに媒体情報バーコード１５と確認情報バーコード１８と付帯情報バーコード２０とが各帳票用紙部１ａ，１ｂ上で一直線上に位置する関係を成すように各帳票用紙部１ａ，１ｂ上における印字領域を規定する。
【００３０】
また、印字検査装置３８は、図４に詳しく示されるように、印字システム３４の用紙排出部に設けられ且つ前記用紙搬送路に沿って搬送される印字済みの帳票用紙１の媒体情報バーコード１５、確認情報バーコード１８、付帯情報バーコード２０を読み取る光学読取装置５０（例えばラインスキャナ等のバーコードリーダ）と、光学装置５０からの情報を受けて媒体情報バーコード１５と確認情報バーコード１８と付帯情報バーコード２０との間の各帳票用紙部１ａ，１ｂ上における相対的な位置関係を検出する第１の検出手段としての位置検出部５２と、各情報バーコード１５，１８，２０の情報を解析するとともに媒体情報バーコード１５と確認情報バーコード１８との間の情報の対応関係（例えば、帳票コードＣ１，Ｃ１’における用紙の種類を示す情報が互いに対応しているか否か）を検出する第２の検出手段としての情報検出部５４と、位置検出部５２からの検出結果に基づいて各帳票用紙部１ａ，１ｂに対する記録内容Ｓの印字位置の正否を判定する第１の判定手段としての印字位置判定部５６と、情報検出部５４からの検出結果に基づいて各帳票用紙部１ａ，１ｂに対する印字内容の正否を判定する（用紙１に適合する記録内容Ｓが印字されているかを判断する）第２の判定手段としての印字内容判定部５８と、これらを統括制御する制御部６０とを少なくとも有している。
【００３１】
特に本実施形態において、位置検出部５２は、媒体情報バーコード１５と確認情報バーコード１８との間の直線的な位置関係を検出するようになっている。また、それに伴って、印字位置判定部５６は、媒体情報バーコード１５と確認情報バーコード１８とが各帳票用紙部１ａ，１ｂ上で所定の許容範囲内で一直線上に位置している場合には適正印字と判定するとともに、媒体情報バーコード１５と確認情報バーコード１８とが各帳票用紙部１ａ，１ｂ上でほぼ一直線上に位置していない場合には印字ずれと判定するようになっている。また、印字内容判定部５８は、媒体情報バーコード１５の帳票コードＣ１に係わる情報と確認情報バーコード１８の帳票コードＣ１’に係わる情報とが規定の対応関係を有している場合には印字された記録内容Ｓがその帳票用紙１に適合していると判定するとともに、帳票コードＣ１に係わる情報と帳票コードＣ１’に係わる情報とが規定の対応関係を有していない場合には印字された記録内容Ｓが帳票用紙１に適合していないと判定する。
【００３２】
また、本実施形態の印字検査装置３８は、印字位置判定部５６が印字ずれと判定した際および印字された記録内容Ｓが用紙１に適合していないことが印字内容判定部５８により判定された際にその旨を警告する警告部（警告手段）６２を有している。この警告部６２は、アラーム音など音声で警告を発するか、あるいは、所定のディスプレイ上で警告表示を行なうなど、適当な警告手法を用いて警告を行なう。あるいは、このような警告とともに、制御部６０等からの制御信号により印字システム３４の印字動作が強制的に停止されても良い。
【００３３】
次に、図５および図６を参照しながら、上記構成の印字管理システム３０の作用について簡単に説明する。なお、図６の（ａ）は印字システム３４の用紙搬送路上に沿って印字済みの帳票用紙１が印字検査装置３８の光学読取装置５０に向けて搬送されている様子を用紙１の表Ａ側から見たものであり、図６の（ｂ）はそれを用紙１の裏Ｂ側から見たものである。また、図５は、印字管理システム３０の印字管理処理の概略的なフローチャートを示している。
【００３４】
まず、印字対象となる帳票用紙１を複数種類の帳票用紙の中から選択し、その帳票用紙に対してプレ印字装置３２を用いて媒体情報バーコード１５を印字する（図５のステップＳ１）。無論、これは、同一種類の複数の帳票用紙１の束を一括して処理することにより行なわれても良い。その後、媒体情報バーコード１５が印字された帳票用紙１を印字システム３４の印字装置３６にセットし、帳票用紙１に対して記録内容Ｓと共に確認情報バーコード１８および付帯情報バーコード２０を印字する（図５のステップＳ２）。このような印字は印字装置３６内の所定の印字領域で行なわれ、印字領域での印字が完了した帳票用紙１は順番に連続して印字検査装置３８の光学読取装置５０が設置された検査領域Ｑに向けて更に搬送されていく。その状態が図６に示されている。
【００３５】
光学読取装置５０は、これを通過する帳票用紙１の各バーコード１５，１８，２０を読み取る。読み取られたデータは、位置検出部５２および情報検出部５４に送られる。位置検出部５２は、媒体情報バーコード１５と確認情報バーコード１８との間の直線的な位置関係を検出する。一方、情報検出部５４は、各情報バーコード１５，１８，２０の情報を解析するとともに媒体情報バーコード１５と確認情報バーコード１８との間の情報の対応関係、ここでは、帳票コードＣ１，Ｃ１’における用紙の種類を示す情報が互いに対応しているか否かを検出する（図５のステップＳ３）。そして、これらの検出結果はそれぞれ印字位置判定部５６および印字内容判定部５８に送られる。印字位置判定部５６は、制御コードＣ１，Ｃ１’からの用紙１の方向性情報が上下の規則的な繰り返しであり且つ媒体情報バーコード１５と確認情報バーコード１８とが各帳票用紙部１ａ，１ｂ上で所定の許容範囲内で一直線上に位置している場合（図６に示される状況Ｘ）には適正印字と判定するとともに、媒体情報バーコード１５と確認情報バーコード１８とが各帳票用紙部１ａ，１ｂ上でほぼ一直線上に位置していない場合（図６に示される状況Ｙ）には印字ずれと判定するようになっている（図５のステップＳ４）。印字ずれと判定された場合には、警告部６２による警告がなされ（図５のステップＳ６）、適正印字の場合には、例えば所定の出力部に用紙１が出力される（図５のステップＳ５）。なお、本実施形態では、媒体情報バーコード１５のみが所定回数にわたって光学読取装置５０を通過し且つ規定回数以内に付帯情報バーコード２０の通し番号コードが１から或いは前頁から連続している場合には印字ずれと見なさないようになっていても良い。また、本実施形態において、許容範囲の印字ずれは、バーコードの縦の長さ或いはバーコードの読み取り時間（ミリｓｅｃ）のずれ時間によって判断することもできる。
【００３６】
一方、印字内容判定部５８は、媒体情報バーコード１５の帳票コードＣ１に係わる情報と確認情報バーコード１８の帳票コードＣ１’に係わる情報とが規定の対応関係を有している場合には印字された記録内容Ｓがその帳票用紙１に適合していると判定するとともに、帳票コードＣ１に係わる情報と帳票コードＣ１’に係わる情報とが規定の対応関係を有していない場合には印字された記録内容Ｓが帳票用紙１に適合していないと判定する（図５のステップＳ４）。この場合も同様に、用紙１に記録内容Ｓが適合していない場合には、警告部６２による警告がなされ（図５のステップＳ６）、適合している場合には、所定の出力部に用紙１が出力される（図５のステップＳ５）。
【００３７】
以上説明したように、本実施形態の印字管理システム３０によれば、帳票用紙１に対して媒体情報バーコード１５と確認情報バーコード１８とを設けるだけで、これらの相対的な位置および情報の対応関係から印字位置および印字内容の正否を判定できるため、帳票用紙１に対する印字状態を簡単且つ確実に検出することができ、印字ミスの防止に大きく寄与し得る。したがって、例えば個人情報の漏洩が生じるような事態も回避できる。
【図面の簡単な説明】
【００３８】
【図１】（ａ）は、媒体情報バーコードが設けられた帳票用紙の表の平面図、（ｂ）は、媒体情報バーコードが設けられた帳票用紙の裏の平面図、（ｃ）は、各帳票用紙部の２つの隅部のそれぞれに付与される８個の異なる媒体情報バーコードを列挙した図である。
【図２】（ａ）は、媒体情報バーコードに対応して記録内容と共に確認情報バーコードおよび付帯情報バーコードが印字された帳票用紙の表の平面図、（ｂ）は、当該帳票用紙の裏の平面図、（ｃ）は、各帳票用紙部の２つの隅部のそれぞれに付与される８個の異なる確認情報バーコードを列挙した図、（ｄ）は、各帳票用紙部に付与される４個の異なる付帯情報バーコードを列挙した図である。
【図３】本発明の一実施形態に係る印字管理システムの概略図である。
【図４】印字検査装置のブロック図である。
【図５】本印字管理システムの印字管理処理の概略的なフローチャートを示す。
【図６】（ａ）は、印字システムの用紙搬送路上に沿って印字済みの帳票用紙が印字検査装置の光学読取装置に向けて搬送されている様子を用紙の表側から見た平面図、（ｂ）は、それを用紙の裏側から見た平面図である。
【符号の説明】
【００３９】
３０  印字管理システム
３４  印字システム
３６  印字装置（印字手段）
３８  印字検査装置（印字検査システム）
５２  位置検出部（第１の検出手段）
５４  情報検出部（第２の検出手段）
５６  印字位置判定部（第１の判定手段）
５８  印字内容判定部（第２の判定手段）
６２  警告部（警告手段）
【図１】
2008158584.tif 000003
【図２】
2008158584.tif 000004
【図３】
2008158584.tif 000005
【図４】
2008158584.tif 000006
【図５】
2008158584.tif 000007
【図６】
2008158584.tif 000008